(57)【要約】本発明に係るドアは、２個のウイング（８）により形成されるスライド（９）を各々備える２個の側部の柱と、それらの柱の上端を結合する横方向部材と、側方の縁が前記スライド（９）に挿入される柔軟なカーテン（５）と、該カーテン（５）をドア開放位置に巻き上げるための手段を有する。本発明の各スライド（９）は底壁（１０）と略Ｕ字形の２個の側壁（１１）とを有するシーリングプロファイル（７）を備えている。各側壁（１１）は隣接するウイング（８）と当接する。
2007514082.tif 000002
【特許請求の範囲】
【請求項１】
２個のウイング（８）により形成されるスライド（９）を各々備える２個の側部の柱と、それらの柱の上端を結合する横方向部材と、側方の縁が前記スライド（９）に挿入される柔軟なカーテン（５）と、該カーテン（５）をドア開口時の位置に巻き上げるための手段とを有するドアにおいて、前記スライド（９）の各々は後壁（１０）と２個の側壁（１１）とを有し略Ｕ字形をなすシーリングプロファイル（７）を備え、前記側壁（１１）の各々は隣接するウイング（８）と当接することを特徴とするドア。
【請求項２】
前記側壁（１１）の各々に、前記カーテン（５）の側方の縁と接触することが可能な少なくとも１個のリップ（１２）が設けられていることを特徴とする請求項１記載のドア。
【請求項３】
前記シーリングプロファイル（７）の各側壁（１１）が隣接するスライド（９）のウイング（８）に対して当接するような寸法を有することを特徴とする請求項１又は２記載のドア。
【請求項４】
前記カーテン（５）が高周波溶接により平坦化された連続的な側方の縁（１４）を有することを特徴とする請求項１から３のいずれかに記載のドア。
【請求項５】
前記各側壁（１１）と各リップの端部がそれぞれテーパー状であることを特徴とする請求項１から４のいずれかに記載のドア。
【請求項６】
各柱の上端の領域において、ガイドヘッド（１５）が、後壁（１７）及び２個の側壁（１８）を有するＵ字状の横断面を有し、各側壁（１８）にはガイドリブ（１９）が設けられ、前記ガイドヘッド（１５）は各シーリングプロファイル（７）の延長上に位置することを特徴とする請求項１から５のいずれかに記載のドア。
【発明の詳細な説明】
【技術分野】
【０００１】
本発明は、気密シール、及び巻き上げにより持ち上げられ改良された側方の気密性を有するカーテンが設けられたドアに関する。
【背景技術】
【０００２】
ある種の産業活動、例えば製薬、食品、電子分野の活動は、環境の管理された部屋で行われ、その環境の質が製品又は行われる工程の質に直に影響する。これらの部屋は、汚染物の部屋内部への進入を防ぐため通常は大気圧以上の圧力におかれる。
【０００３】
もちろんドアで閉じられた開口部又はベイを使用してこれらの部屋にアクセスできる必要がある。
【０００４】
これらのドアは、巻き上げによって持ち上げることのできる柔軟なカーテンが設けられたドアであってもよい。これらのドアの主な利点は非常に迅速に開閉できることである。
【０００５】
これらのドアの迅速動作の可能性は、ドアの開口時間を最小限にできるので極めて有利であることがわかっている。
【発明の開示】
【発明が解決しようとする課題】
【０００６】
しかし、これらのドアを閉じた状態における側方の気密性という問題は完全に満足の行く解決が達成されていない。
【０００７】
より正確に言うと、大気圧以上の圧力に保たれた部屋においてはカーテンの側方の縁における漏れ気流の発生がしばしば観察される。
【０００８】
確かに欧州特許公報第６２３７３１号のように、カーテンの側方の縁がドアの側部のスライドを擦るシーリング部材を直接に備えることも考えられている。
【０００９】
このシーリング提供方法の重大な欠点は、カーテンの巻き上げ及び引き出しの動作が生じる時にこのシーリング部材がスライドを擦り、その結果摩耗するという事実に起因する。
【００１０】
この摩耗という結果は二重に有害である。
【００１１】
第一に、摩耗して機能を果たさなくなったシーリング部材を取り替える必要があることである。シーリング部材は通常カーテンの側方の縁に溶着されているので、カーテンをドアから分離し、それを床の上に置き、摩耗した側部のシーリング部材から溶着部を取り除き、新しい側部のシーリング部材を溶着し、その後カーテンを再びドアに属する巻き上げシャフトに取付ける必要がある。従ってこれらの作業をすべて行うのは時間がかかり、その間は部屋を使用できなくなる。というのはこれらの作業のためにカーテンが分離されており部屋の閉鎖機能が提供されないからである。
【００１２】
第二に、シーリング部材がドア柱を擦ることで粒子が発生し、ドアの出入りを管理してもその粒子が部屋を汚染することである。
【課題を解決するための手段】
【００１３】
本発明では、従来技術の有する多数の欠点を解決することを目的とし、より具体的には、巻き上げにより持ち上げられるカーテンを設けたドアにおいて、低い空気漏れ率を保証するとともに設置及び取り替えが容易な側部のシーリングを提供することを目的とする。
【００１４】
本ドアは、それ自体としては知られた方法により、以下のものを有する。
−２個のウイングにより形成されるスライドを各々備える２個の側部の柱
−側部の柱の上端を結合する横方向部材
−前記スライドの各々に結合する側方の縁を有する柔軟なカーテン
−該カーテンをドア開口時の位置に巻き上げるための手段
【００１５】
本発明によれば、前記スライドの各々は後壁と、略Ｕ字形の２個の側壁とを有するシーリングプロファイルを備えており、前記側壁の各々は隣接するウイングと当接している。
【００１６】
シーリングを完成し有機物又は金属汚染物の蓄積を防ぐために、シーリングプロファイルの各側壁は隣接するスライドのウイングに対して当接するような寸法を有している。
【００１７】
各側壁には前記カーテンの側方の縁と接触することが可能な少なくとも１個のリップが設けられることが有利である。
【００１８】
一つの有利なドアの構成によれば、前記カーテンは高周波溶接により平坦化された連続的な側方の縁を有する。この構成はカーテンとシーリングプロファイルの間に線状の接触を作り出す。
【００１９】
好ましくは、各側壁と各リップは端部がテーパー状であり非常に柔軟である。
【００２０】
一つの実施例によれば、各柱の上部の領域において、ガイドヘッドは後壁及び２個の側壁を有するＵ字状の横断面を有し、各側壁にはガイドリブが設けられ、前記ガイドヘッドは各シーリングプロファイルの延長上に位置する。
【発明を実施するための最良の形態】
【００２１】
本発明の明瞭な理解のため、本発明に係るドアの実施例の非限定的な一例を示す添付図面を参照しつつ説明する。
【００２２】
図１は本発明のドアの斜視図である。
図２は図１のドアのＩＩ−ＩＩ断面における断面図である。
図３は図１のドアのＩＩＩ−ＩＩＩ断面における断面図である。
図４は柱の平面図である。
図５はドア柱の上部の分解斜視図である。
【００２３】
まず図１に示されるように、本ドアは間仕切壁に設けられた開口の境界をなす２個の側部の柱２を有する。各柱の上端部にブラケット３が設けられている。これらの２個のブラケット３はシャフトを支持しており、本実施例ではシャフトは横方向のハウジング４に隠されている。
【００２４】
シャフトにはカーテン５が固定される。カーテン５は突き合わせ溶着された柔軟な素材の水平の帯状物からなっている。
【００２５】
カーテン５が補強バー６を有することも観察される。
【００２６】
ポスト２の横断面を示す図２からわかるように、このポストにはカーテン５を向いた側の表面に、スライド９をその間に形成する２個のウイング８が設けられている。具体的なケースによって異なるが、スライドを形成するウイング８は、例えば図に示すような押出成形された柱のように、柱２と一体の部品を形成していてもよい。他の実施例では、これらのウイングは柱と別々の部品として付加することができる。
【００２７】
カーテン５の側方の縁の各々はそれに隣接するスライド９に挿入される。
【００２８】
本発明のドアの不可欠の特徴は、各スライドの背部にシーリングプロファイル７が配置されることである。
【００２９】
このシーリングプロファイル７はＵ字を形成する後壁１０と２個の側壁１１とを有する。各側壁１１はそれに隣接するウイング８に当接する。
【００３０】
また各側壁１１の相互に対向する壁にリップ１２が設けられていることも観察される。
【００３１】
図２からわかるように、各リップ１２と各側壁１１の端部とはテーパー状であり非常に柔軟になっている。
【００３２】
シーリングプロファイル７は、その後壁１０をスライド９の後壁に接着することによりスライド９の内部に固定されている。
【００３３】
カーテン５の具体的な構成としては高周波溶接により形成された連続する平坦な側方の縁１４を有することが示されている。
【００３４】
図４はドア柱２の上部を示す。この図からはガイドヘッド１５がスライド９の中でシーリングプロファイル７の延長部分に配置されていることがわかる。
【００３５】
ガイドヘッド１５は後壁１７と２個の側壁１８からなるＵ字状断面を有する成形プラスチック部材である。
【００３６】
図５はさらに前記ヘッドの各側壁１１がリブ１９を備えることを示す。
【００３７】
ドアは従来通りの方法で作動する。すなわちカーテン５をシャフトに巻き上げることによりドアを通る通路を開き、カーテン５を引き出すことによりドアを閉鎖する。
【００３８】
ドアが大気圧以上の圧力下にある場所への入口を提供する場合、このドアは、閉鎖位置において、カーテン５の表面全体にわたる圧力を受ける。
【００３９】
それからカーテン５の側方の縁は、圧力の影響下において、カーテン５のどの面が大気圧を越える圧力を受けるかに従って、シーリングプロファイル７のリップ１２のうち一つを押す。柱２の上部においては、カーテン５の縁はガイドヘッド１５のリブと当接する。
【００４０】
このときカーテン５の側方の縁を介する空気漏れ率の非常に低いことが観察される。
【００４１】
カーテン５を巻き上げた時は、カーテン５の下枠の領域で生じる大量の漏れ空気流の作用により、もはやカーテンはどんな種類の圧力も受けなくなる。従ってカーテン５の側方の縁はもはやリップ１２と当接しない。するとカーテン５とシーリングプロファイル７の間の摩擦が最小限となる結果、プロファイルの使用可能な期間が非常に長くなり、摩擦によって生じる破片も減少するという効果が得られる。
【００４２】
とはいえプロファイルはいずれ摩耗する。プロファイルが機能を果たさなくなった時は、極めて容易に取り替えることができる。必要な工程はカーテン５を持ち上げ、摩耗したプロファイルを取り外し、新しいプロファイルをスライド９に取付けるだけだからである。この作業は非常に短時間に行われ、特定の資格を有しない保守作業員でも行うことができる。
【００４３】
本発明はもちろん上記で例示した実施例に限定されない。むしろ全ての実施例を包含する範囲を有する。
【図１】
2007514082.tif 000003
【図２】
2007514082.tif 000004
【図３】
2007514082.tif 000005
【図４】
2007514082.tif 000006
【図５】
2007514082.tif 000007
【国際調査報告】
2007514082.tif 000008
2007514082.tif 000009
2007514082.tif 000010
2007514082.tif 000011